(57)【要約】【課題】プリンタの登録後に、印刷領域の設定を行なうための画面表示をすることができない仕様となっているオペレーティングシステムにおいて、印刷領域の設定の際の使い勝手を向上させる。【解決手段】コンピュータを制御するオペレーティングシステムにプリンタを登録する処理を支援するためのプリンタ登録支援プログラムであって、登録に係るプリンタで印刷可能な用紙サイズと印刷領域とを組み合わせた識別子を選択可能な状態で表示する処理と、選択された識別子に応じた情報を、当該プリンタについて選択可能な用紙サイズ情報として前記オペレーティングシステムに出力する処理とをコンピュータに実行させるためのプリンタ登録支援プログラムを提供する。【選択図】　図１
2004139519.tif 000002
【特許請求の範囲】
【請求項１】
コンピュータを制御するオペレーティングシステムにプリンタを登録する処理を支援するためのプリンタ登録支援プログラムであって、
登録に係るプリンタで印刷可能な用紙サイズと印刷領域とを組み合わせた識別子を選択可能な状態で表示する処理と、
選択された識別子に応じた情報を、当該プリンタについて選択可能な用紙サイズ情報として前記オペレーティングシステムに出力する処理とをコンピュータに実行させるためのプリンタ登録支援プログラム。
【請求項２】
プリンタが接続される情報処理装置であって、
前記プリンタで印刷可能な用紙サイズと印刷領域とを組み合わせた識別子を選択可能な状態で表示する第１の選択受け付け手段と、
選択された識別子に応じた情報を、前記プリンタについて選択可能な用紙サイズ情報として記憶する手段と、
印刷対象となるドキュメントの印刷用紙についての設定受け付けに関し、前記記憶した用紙サイズ情報に基づいて用紙サイズと印刷領域とを組み合わせた識別子を選択可能な状態で表示する第２の選択受け付け手段とを備えることを特徴とする情報処理装置。
【請求項３】
請求項２に記載の情報処理装置であって、
印刷対象となるドキュメントの印刷指示についての設定受け付けに関し、前記第２の受け付け手段が選択を受け付けた用紙サイズと印刷領域とを組み合わせた識別子に応じた項目を、前記印刷指示についての設定受け付け項目に含める印刷設定受け付け手段をさらに備えることを特徴とする情報処理装置。
【請求項４】
情報処理装置におけるプリンタ管理方法であって、
プリンタで印刷可能な用紙サイズと印刷領域とを組み合わせた識別子を選択可能な状態で表示する第１の選択受け付けステップと、
選択された識別子に応じた情報を、前記プリンタについて選択可能な用紙サイズ情報として記憶するステップと、
印刷対象となるドキュメントの印刷用紙についての設定受け付けに関し、前記記憶した用紙サイズ情報に基づいて用紙サイズと印刷領域とを組み合わせた識別子を選択可能な状態で表示する第２の選択受け付けステップとを有することを特徴とするプリンタ管理方法。
【請求項５】
請求項４に記載のプリンタ管理方法であって、
印刷対象となるドキュメントの印刷指示についての設定受け付けに関し、前記第２の受け付け手段が選択を受け付けた用紙サイズと印刷領域とを組み合わせた識別子に応じた項目を、前記印刷指示についての設定受け付け項目に含める印刷設定受け付けステップをさらに有することを特徴とするプリンタ管理方法。
【発明の詳細な説明】
【０００１】
【発明の属する技術分野】
本発明は、オペレーティングシステムにプリンタを登録する処理を支援するためのプリンタ登録支援プログラム、および、印刷に関する設定を受け付けるプリンタ制御プログラムに関する。
【０００２】
【従来の技術】
従来のオペレーティングシステム（ＯＳ）、例えば、アップルコンピュータ社のＭａｃｉｎｔｏｓｈ（商標）用のＯＳとして開発されたＭａｃＯＳ９（商標）では、実行中のアプリケーションで作業対象となっているドキュメントを印刷する際の印刷用紙に関する設定は、用紙設定画面を呼び出すことで行なえるようになっている。
【０００３】
この用紙設定画面は、印刷を行なうプリンタの機能等に合わせた設定が行なえるように、プリンタメーカが独自にカスタマイズして、ユーザに提供することができる仕様となっている。
【０００４】
図８は、ロール紙に対する印刷、および、四辺フチなし印刷が可能なプリンタ向けにカスタマイズされた用紙設定画面８００の一例を示す図である。本図に示すように、用紙設定画面８００では、用紙サイズ設定欄８０１でＡ４等の用紙サイズを指定し、給紙装置設定欄８０２でオートシートフィーダ（定形紙）またはロール紙を選択し、四辺フチなし印刷設定欄８０３で、四辺フチなし印刷を行なうかどうかを指定し、印刷方向設定欄８０４で縦／横等を指定し、拡大／縮小率設定欄８０５で縮尺を指定し、印刷可能領域設定欄８０６で上下左右のマージン等を指定するようになっている。
【０００５】
ロール紙に対する印刷、四辺フチなし印刷等が可能なプリンタでは、同一の用紙サイズに対する印刷であっても、用紙設定画面８００で設定された内容により、用紙に対して実際に印刷される領域（印刷領域）が異なってくる。
【０００６】
例えば、四辺フチなし印刷設定欄８０３で、四辺フチなし印刷が指定された場合には、四辺のフチをなくすために、四辺に余白部分を有する標準の印刷における印刷領域よりも印刷領域が大きく設定される。また、四辺フチなし印刷が指定された場合でも、給紙装置設定欄８０２における、オートシートフィーダ（定形紙）またはロール紙の選択により印刷領域が異なってくる。
【０００７】
すなわち、このようなプリンタでは、１つの用紙サイズに対して、複数種類の印刷領域を有しており、用紙設定画面８００における設定に応じて、いずれかの印刷領域が採用されるようになっている。そして、ユーザは、いつでも用紙設定画面８００を呼び出し、作業対象のドキュメントの印刷用紙に対する印刷領域を設定することができる。
【０００８】
【発明が解決しようとする課題】
ところが、オペレーティングシステムによっては、例えば、ＭａｃＯＳの最新バージョンであるＭａｃＯＳＸ（商標）では、用紙設定画面をオペレーティングシステムが提供し、プリンタメーカが用紙設定画面をカスタマイズできない仕様となっている。
【０００９】
図９は、カスタマイズできない仕様の用紙設定画面４００の一例を示す図である。本図に示すように、用紙設定画面４００では、フォーマット設定欄４０２で、印刷を行なうプリンタ（本例では、識別子ＸＸ−４０＊＊のプリンタ）を指定し、用紙サイズ設定欄４０３で用紙サイズを設定し、印刷方向設定欄４０４で印刷方向を設定し、拡大縮小率設定欄４０５で拡大縮小率を設定するようになっており、他の項目については設定できないようになっている。このとき、印刷領域は、オペレーティングシステムにプリンタを登録した時点の設定が適用され、一旦プリンタが登録された後では、印刷領域の設定変更ができないようになっている。
【００１０】
このため、プリンタの機能に合わせて異なる印刷領域を設定可能とするためには、便宜的に用紙サイズと印刷領域とを組み合わせて、例えば、「Ａ４　通常」「Ａ４　フチなし」「Ａ４　ロール紙」「Ｂ５　通常」「Ｂ５　フチなし」「Ｂ５　ロール紙」等という用紙サイズの選択肢をあらかじめプリンタメーカが用意して、用紙サイズ設定欄４０３で、用紙サイズと印刷領域とを設定するようにせざるを得なくなっている。
【００１１】
この場合、ユーザは、用紙サイズ設定欄４０３において、用紙サイズと印刷領域の種類との組み合わせ数分の選択肢から目的とする用紙サイズと印刷領域とを探し出さなければならず、使い勝手が悪くなるという問題が生じる。
【００１２】
本発明は、プリンタの登録後に、印刷領域の設定を行なうための画面表示をすることができない仕様となっているオペレーティングシステムにおいて、印刷領域の設定の際の使い勝手を向上させることを目的とする。
【００１３】
【課題を解決するための手段】
上記課題を解決するため、本発明によれば、
コンピュータを制御するオペレーティングシステムにプリンタを登録する処理を支援するためのプリンタ登録支援プログラムであって、
登録に係るプリンタで印刷可能な用紙サイズと印刷領域とを組み合わせた識別子を選択可能な状態で表示する処理と、
選択された識別子に応じた情報を、当該プリンタについて選択可能な用紙サイズ情報として前記オペレーティングシステムに出力する処理とをコンピュータに実行させるためのプリンタ登録支援プログラムが提供される。
【００１４】
ここで、選択された識別子に応じた情報は、選択に係る用紙サイズについての印刷領域を定義するための情報とすることができる。
【００１５】
また、前記識別子は、複数選択可能であり、選択されたそれぞれの識別子について、当該プリンタについて選択可能な用紙サイズ情報として出力することができる。
【００１６】
さらに、本発明によれば、印刷に関する設定を受け付けて、アプリケーションで処理中のドキュメントについて、設定に基づく印刷をプリンタに行なわせるための処理をコンピュータに実行させるプリンタ制御プログラムであって、
アプリケーションから処理中のドキュメントについての印刷領域に関する情報を含む用紙サイズ情報を取得する処理と、
取得した印刷領域に関する情報を含む用紙サイズ情報に応じた設定項目を前記印刷に関する設定に含める処理とをコンピュータに実行させることを特徴とするプリンタ制御プログラムが提供される。
【００１７】
一般に、ユーザが実際に使用する用紙サイズと印刷領域との組み合わせは、プリンタが提供可能な用紙サイズと印刷領域との組み合わせに比べてかなり少ないと考えられる。例えば、書類作成を主目的とするユーザは、Ａ４サイズの通常印刷領域がほとんどであり、写真印刷を主目的とするユーザは、ハガキ、Ｌ版、Ａ４サイズの通常印刷領域あるいはフチなし印刷領域がほとんどであると想定される。
【００１８】
このため、ユーザによっては、例えば、封筒サイズ、レターサイズ、リーガルサイズ等の用紙サイズに関してはほとんど使用することがないと想定される。これらの用紙サイズと印刷領域との組み合わせは、用紙サイズ設定欄４０３に表示するリストから削除しても問題はなく、使用する可能性があるこれらの用紙サイズと印刷領域との組み合わせのみを用紙サイズ設定欄４０３に表示すれば、ユーザに不都合はない。
【００１９】
また、使用する可能性がある用紙サイズと印刷領域との組み合わせのみを用紙サイズ設定欄４０３に表示することで、目的とする用紙サイズと印刷領域との組み合わせを見つけやすくなる。
【００２０】
本発明では、用紙サイズ設定欄４０３に表示する用紙サイズと印刷領域との組み合わせをユーザがカスタマイズ可能とすることにより、印刷領域の設定の際の使い勝手を向上させるようにしている。
【００２１】
【発明の実施の形態】
本発明の実施の形態について、図面を参照して説明する。
【００２２】
本発明を適用したプリンタドライバは、オペレーティングシステムに対するプリンタ登録時に印刷領域が設定され、プリンタの登録後に、印刷領域の設定を行なうための画面表示をすることができない仕様となっているオペレーティングシステムを対象とするものである。
【００２３】
このようなオペレーティングシステムは、例えば、アップルコンピュータ社のＭａｃｉｎｔｏｓｈ（商標）用のオペレーティングシステム（ＯＳ）として開発されたＭａｃＯＳＸ（商標）が代表的である。
【００２４】
図１は、本発明を適用したプリンタドライバをインストールしたコンピュータ１００の主要な機能構成を説明するためのブロック図である。本図に示すように情報処理装置としてのコンピュータ１００上には、オペレーティングシステム部１１０と、プリンタドライバ部１２０と、用紙設定部１２１と、アプリケーション部１３０とが構築される。なお、コンピュータ１００は、ＣＰＵ、ＲＡＭ、ＲＯＭ、ハードディスク装置等を備えた従来のハードウェア構成とすることができる。
【００２５】
オペレーティングシステム部１１０は、コンピュータ１００のシステム管理、周辺デバイス管理、基本的なユーザー操作環境を提供するための処理等を行なう。オペレーティングシステム部１１０は、コンピュータ１００用に設計されたオペレーティングシステムプログラムを、コンピュータ１００のＣＰＵが実行することにより、コンピュータ１００上に構築される。
【００２６】
オペレーティングシステム部１１０は、コンピュータ１００に接続されるプリンタを管理するためのプリンタ管理部１１１を備えている。オペレーティングシステム部１１０は、プリンタドライバをインストールしただけではプリンタを使用することができず、そのプリンタをオペレーティングシステム部１１０に登録することにより、プリンタを使用することができるようになっている。プリンタ管理部１１１は、オペレーティングシステム部１１０にプリンタを登録するための処理を行なう。
【００２７】
登録に際しては、プリンタドライバからプリンタの識別子と、そのプリンタに適用する印刷領域情報を含んだ用紙サイズ情報を含むプリンタ情報を取得し、これらを関連づけて登録する。
【００２８】
プリンタ管理部１１１は、デバイス管理プログラムとしてオペレーティングシステムが提供するプリンタ管理用のプログラムを、コンピュータ１００のＣＰＵが実行することにより構築される。
【００２９】
プリンタドライバ部１２０は、コンピュータ１００に接続されたプリンタを制御するために、プリンタの機能に応じた処理を行なう。本実施形態におけるプリンタドライバ部１２０の制御対象であるプリンタは、同一の用紙サイズについて複数種類の印刷領域を有している。
【００３０】
図２は、同一の用紙サイズに対する複数種類の印刷領域について説明するための図である。ここでは、用紙サイズを「Ａ４」とした場合を例に説明するが、他の用紙サイズについても同様に複数種類の印刷領域を有している。
【００３１】
図２（ａ）は、Ａ４の定形紙２００を印刷対象とし、印刷領域を「通常」とした場合の印刷領域２２０を示している。
【００３２】
図２（ｂ）は、Ａ４の定形紙２００を印刷対象とし、印刷領域を「最大」とした場合の印刷領域２２０を示している。このように、印刷領域を「通常」とした場合に比べて印刷領域２２０が大きくなる。
【００３３】
図２（ｃ）は、Ａ４の定形紙２００を印刷対象とし、「フチなし印刷」を指定した場合の印刷領域２２０を示している。このように、印刷領域２２０を用紙サイズと同じくすることで四辺フチなし印刷を実現する。
【００３４】
図２（ｄ）は、ロール紙２１０を印刷対象とし、「フチなし印刷」を指定した場合の印刷領域２２０を示している。このように、印刷領域２２０をロール紙の幅より少し大きめにすることでロール紙のフチなし印刷を実現する。
【００３５】
なお、プリンタドライバ部１２０で設定可能な印刷領域は、上記の例に限られない。
【００３６】
プリンタドライバ部１２０は、プリンタメーカがプリンタ対応に開発したプリンタドライバプログラムを、コンピュータ１００のＣＰＵが実行することにより構築される。プリンタドライバは、ＣＤ−ＲＯＭ等の記録媒体に記録することで市場に流通させることができる。また、インターネット等のコンピュータネットワークを介して市場に流通させることもできる。
【００３７】
用紙設定部１２１は、プリンタをオペレーティングシステム部１１０に登録する際に、プリンタで設定可能とする用紙サイズと印刷領域とを設定するための処理を行なう。プリンタメーカがプリンタ対応に開発した用紙設定用プログラムを、コンピュータ１００のＣＰＵが実行することにより構築される。用紙設定用プログラムは、プリンタドライバプログラムの一部または付属プログラムとして構成してもよいし、プリンタドライバプログラムとは別の独立したプログラムとして構成してもよい。
【００３８】
アプリケーション部１３０は、ワードプロセッサ、グラフィックス等の処理をコンピュータ１００に行なわせるための機能を有しており、ＲＡＭが読み込んだアプリケーションプログラムを、ＣＰＵが実行することによりコンピュータ１００上に構築される。
【００３９】
つぎに、オペレーティングシステム部１１０にプリンタを登録する処理について説明する。
【００４０】
図３は、オペレーティングシステム部１１０にプリンタを登録する際の画面の遷移を説明するための図である。本処理は、ユーザによりプリンタ管理プログラムが起動されることにより開始する。
【００４１】
なお、登録するプリンタを制御するためのプリンタドライバは、あらかじめコンピュータ１００にインストールされており、プリンタドライバ部１２０が構築されているものとする。
【００４２】
オペレーティングシステム部１１０のプリンタ管理部１１１は、ユーザから起動命令を受け付けると、図３に示すようなプリンタリスト画面５００を表示する。プリンタ管理部１１１は、すでにオペレーティングシステム部１１０に登録されているプリンタの識別子、例えば、プリンタの製品名をプリンタリスト表示欄５０１に表示する。
【００４３】
ユーザは、プリンタを新たに登録する場合には、プリンタリスト画面５００上で、追加ボタン５０２をクリックする。
【００４４】
プリンタリスト画面５００上で追加ボタン５０２のクリックを受け付けたプリンタ管理部１１１は、インストール済みのプリンタドライバ部１２０を呼び出す。
【００４５】
呼び出されたプリンタドライバ部１２０は、プリンタ追加登録画面５２０を表示する。
【００４６】
図４は、プリンタ追加登録画面５２０の一例を説明するための図である。本図に示すように、プリンタ追加登録画面５２０は、プリンタドライバ部１２０の制御対象となるプリンタを表示する欄５２１と、登録する用紙サイズの設定を行なう用紙設定ボタン５２２と、キャンセルボタン５２３と、追加ボタン５２４とを備えて構成される。
【００４７】
本画面５２０で、追加するプリンタを指定して、追加ボタン５２４をクリックすることにより、オペレーティングシステム部１１０にそのプリンタを登録することができる。
【００４８】
このとき、ユーザは、用紙設定ボタン５２２をクリックすることで、登録するプリンタで使用可能とする用紙サイズと、印刷領域とを設定することができる。
【００４９】
プリンタドライバ部１２０は、プリンタ追加登録画面５２０で、用紙設定ボタン５２２のクリックを受け付けると、用紙設定部１２１を呼び出す。そして、呼び出された用紙設定部１２１は、用紙サイズリスト設定画面５４０を表示する。
【００５０】
図５は、用紙サイズリスト設定画面５４０の一例を説明するための図である。本図に示すように、用紙サイズリスト設定画面５４０は、登録に係るプリンタがサポートする用紙サイズと印刷領域との組み合わせをリスト形式で表示する「サポート用紙サイズ表示欄」５４１と、登録するプリンタで使用可能とするためにユーザにより設定された用紙サイズと印刷領域との組み合わせをリスト形式で表示する「表示する用紙サイズ表示欄」５４２と、「サポート用紙サイズ表示欄」５４１で指定された用紙サイズと印刷領域との組み合わせを「表示する用紙サイズ表示欄」５４２に追加するための追加ボタン５４３と、「表示する用紙サイズ表示欄」５４２で指定された用紙サイズと印刷領域との組み合わせを削除するための削除ボタン５４４と、「表示する用紙サイズ表示欄」５４２に表示された用紙サイズと印刷領域との組み合わせを初期状態に戻すためのリセットボタン５４５と、キャンセルボタン５３６と、ＯＫボタン５４７とを備えて構成される。
【００５１】
本図の例では、Ａ４（通常）、Ａ４（最大）、Ａ４（フチなし）等の用紙サイズと印刷領域との組み合わせが「表示する用紙サイズ表示欄」５４２に表示されている。これは、ユーザにより、「Ａ４サイズの通常の印刷領域」「Ａ４サイズの最大の印刷領域」「Ａ４サイズのフチなし印刷領域」等がプリンタで使用可能となるように設定されていることを示している。
【００５２】
なお、「表示する用紙サイズ表示欄」５４２の初期状態は、例えば、空欄としてもよいし、使用頻度が高いと想定される用紙サイズと印刷領域との組み合わせをプリンタメーカがあらかじめ設定しておくようにしてもよい。
【００５３】
このように、「サポート用紙サイズ表示欄」５４１に表示された大量の用紙サイズと印刷領域との組み合わせのうち、ユーザが必要とする用紙サイズと印刷領域との組み合わせだけをプリンタで使用可能とすることで、用紙設定画面４００の用紙サイズ設定欄４０３で、用紙サイズと印刷領域との組み合わせを設定する際、希望する用紙サイズと印刷領域との組み合わせを容易に見つけ出すことができるようになる。
【００５４】
ユーザは、登録に係るプリンタで使用可能とする用紙サイズと印刷領域との組み合わせを設定し終えるとＯＫボタン５４７をクリックすることで、プリンタ追加登録画面５２０に戻ることができる。
【００５５】
用紙設定部１２１は、用紙サイズリスト設定画面５４０で、ＯＫボタン５４７のクリックを受け付けると、用紙サイズリスト設定画面５４０の「表示する用紙サイズ表示欄」５４２に表示された用紙サイズと印刷領域との組み合わせについての情報、すなわち、表示された用紙サイズについての印刷領域を定義するための情報を、プリンタドライバ部１２１に通知する。このとき、プリンタドライバ部１２１は、通知された情報を記憶するとともに、通知された情報に係る印刷領域情報を含んだ用紙サイズ情報を含むプリンタ情報をオペレーティングシステム部１１０に通知する。
【００５６】
オペレーティングシステム部１１０は、通知されたプリンタ情報に基づいて、プリンタを登録する。そして、図３に示すように、登録されたプリンタの識別子、例えば、プリンタの製品名をプリンタリスト画面５００のプリンタリスト表示欄５０１に表示する。また、登録されたプリンタは、アプリケーション部１３０で使用可能となる。このとき、用紙サイズリスト設定画面５４０の「表示する用紙サイズ表示欄」５４２に表示された用紙サイズと印刷領域との組み合わせのいずれかを選択してプリンタを使用することができる。
【００５７】
図６は、上記処理によりプリンタが登録された場合の用紙設定画面４００を説明するための図である。本図に示すように、用紙設定画面４００の用紙サイズ設定欄４０３には、用紙サイズリスト設定画面５４０で設定した用紙サイズと印刷領域との組み合わせ、例えば、Ａ４（通常）、Ａ４（最大）、Ａ４（フチなし）等が表示され、選択可能になっている。
【００５８】
ユーザは、用紙設定画面４００の用紙サイズ設定欄４０３で、アプリケーション部１３０で処理するドキュメントについての用紙サイズと印刷領域に関する設定を行なうことができる。
【００５９】
なお、用紙サイズ設定欄４０３で表示させる用紙サイズと印刷領域との組み合わせの追加、削除等の再設定は、再度プリンタ管理プログラムを起動させて、用紙サイズリスト設定画面５４０を表示させることで行なうことができる。
【００６０】
プリンタドライバ部１２０は、用紙設定画面４００の用紙サイズ設定欄４０３でユーザにより設定された用紙サイズと印刷領域との組み合わせに応じて、印刷実行時に表示させる印刷設定画面の表示内容を変更する。
【００６１】
図７（ａ）は、用紙設定画面４００の用紙サイズ設定欄４０３で、例えばＡ４サイズのロール紙が設定された場合における、印刷設定画面５８０の一例を示している。なお、印刷設定画面５８０は、アプリケーション部１３０が処理中に、ユーザから印刷実行命令を受け付けた場合に、プリンタドライバ部１２０がユーザから印刷に関する諸設定を受け付けるために表示する画面である。
【００６２】
このとき、プリンタドライバ部１２０は、アプリケーション部１３０から、そのドキュメントに対して設定された用紙サイズと印刷領域との組み合わせ情報を取得し、その情報、特に印刷領域に対応した印刷設定画面５８０を表示するようにする。このため、プリンタドライバ部１２０は、印刷領域に対応した複数の印刷設定画面５８０をあらかじめ備えている。
【００６３】
本図において用紙設定画面４００は、印刷に使用するプリンタを指定する欄と５８１と、設定内容を指定する欄５８２と、印刷設定欄５８３とを備えている。
【００６４】
本図に示すように、用紙設定画面４００の用紙サイズ設定欄４０３で、ロール紙を印刷領域とした用紙サイズが設定された場合には、設定内容を指定する欄５８２でロール紙オプションが選択可能になる。そして、設定内容を指定する欄５８２でロール紙オプションを選択すると、本図に示すように、印刷領域をロール紙とした場合に特有の設定項目が、設定内容を指定する欄５８２に表示される。
【００６５】
また、図７（ｂ）は、用紙設定画面４００の用紙サイズ設定欄４０３で、例えばＡ４サイズのフチなしが設定された場合における、印刷設定画面５８０の一例を示している。
【００６６】
本図に示すように、用紙設定画面４００の用紙サイズ設定欄４０３で、フチなしを印刷領域とした用紙サイズが設定された場合には、設定内容を指定する欄５８２ではみ出し量が選択可能になる。そして、設定内容を指定する欄５８２ではみ出し量を選択すると、本図に示すように、印刷領域をフチなしとした場合に特有の設定項目が、設定内容を指定する欄５８２に表示される。
【図面の簡単な説明】
【図１】コンピュータの主要な機能構成を示すブロック図。
【図２】同一の用紙サイズに対する複数種類の印刷領域を説明する図。
【図３】プリンタを登録する際の画面の遷移を説明するための図。
【図４】プリンタ追加登録画面の一例を示す図。
【図５】用紙サイズリスト設定画面の一例を説明するための図
【図６】プリンタ登録後の用紙設定画面の一例を示す図。
【図７】印刷設定画面について説明するための図。
【図８】従来のカスタマイズ可能な用紙設定画面の一例を示す図。
【図９】カスタマイズできない仕様の用紙設定画面の一例を示す図。
【符号の説明】
１００　コンピュータ、１１０　オペレーティングシステム部、１１１　プリンタ管理部、１２０　プリンタドライバ部、１２１　用紙設定部、１３０　アプリケーション部
【図１】
2004139519.tif 000003
【図２】
2004139519.tif 000004
【図３】
2004139519.tif 000005
【図４】
2004139519.tif 000006
【図５】
2004139519.tif 000007
【図６】
2004139519.tif 000008
【図７】
2004139519.tif 000009
【図８】
2004139519.tif 000010
【図９】
2004139519.tif 000011